(57)【特許請求の範囲】
【請求項１】
小屋裏居室用ユニットの構造であって、上方の天井梁で形成される天井用長方形枠が下方の床梁で形成される床用長方形枠よりも小さく形成されるとともに、これらの天井用長方形枠および床用長方形枠の３つの角部同士は垂直方向に延びる１本の柱と２本の傾斜した梁とで連結され、前記天井用長方形枠の角部のうち、前記１本の柱の対角線位置の角部には、該角部から前記床用長方形枠の床部に向けて垂直な１本の補強柱が立設され、平面視で前記床用長方形枠の前記天井用長方形枠からはみ出した部位には床面材が設けられてＬ字形バルコニが形成されていることを特徴とする２方向傾斜の小屋裏居室用ユニット。
【発明の詳細な説明】
【０００１】
【発明の属する技術分野】
本発明は、側面２方向が傾斜面となった２方向傾斜ユニットおよびこの２方向傾斜ユニットを使用したユニット式建物に関する。
【０００２】
【背景技術】
建物において、その屋根内部を小屋裏居室として使用すれば、高さ制限および斜線制限に抵触せずに広い居室面積を有する建物を構築することができる。
図８に示すように、例えば、小屋裏居室を備えたユニット式建物１は、予め工場で生産される複数の下階建物ユニット２、これらの下階建物ユニット２の上に載置される上階建物ユニット３、および上階建物ユニット３の上に載置される小屋裏居室用ユニット１２、楔形状の三角屋根ユニット１３等を現場で組み合わせることにより建てられており、小屋裏居室用ユニット１２、楔形状の三角屋根ユニット１３には屋根パネル１９等が取り付けられ、建物の屋根４が形成されている。
【０００３】
これらの建物ユニット２、３は、図９に示すように、四隅に立設される４本の柱５と、これらの柱５の上端間同士および下端間同士を結合する各４本の天井梁６、床梁７を有する骨組み８を備え、このような骨組みに、天井面材９や床面材１０、内壁や外壁等を取り付け、ほぼ箱形状に形成されている。
また、小屋裏居室用ユニット１２は、高さ寸法が所定寸法低いのみで上階建物ユニット３等とほぼ同様の構造であり、三角屋根ユニットは、４本の床梁１７で形成された四角枠を備えている。この四角枠の４本の床梁のうち１本の床梁両端には２本の柱１５が立設され、これらの柱１５の上端同士は１本の天井梁で連結されている。さらに、２本の柱１５の上端と上記１本の床梁と対向する床梁の両端とは傾斜梁１８で連結され全体楔形状となっている。
【０００４】
【発明が解決しようとする課題】
しかし、前記従来のユニット式建物１では、屋根が三角屋根ユニット１３に屋根パネル１９等を取り付けることにより形成されており、この三角屋根ユニット１３は傾斜等形状が一定化しているので、居室として使用するには軒側の高さが低く、充分に活用できない。そのため、小屋裏居室の内部空間をより広くしたいとき、あるいは屋根勾配を変えたいとき等、柔軟に対応することができないという問題がある。
また、このような三角屋根ユニット１３を使用したユニット式建物１では、建物の屋根は切妻屋根のみとなり、変化に富んだ屋根形状を構成することができない。さらに、三角屋根ユニット１３を使用しており、建物の妻側面以外に垂直面がないので、壁面に開口した窓を設けることが困難となり、小屋裏居室内の通風、採光等を充分に得られないという問題もある。
【０００５】
本発明の目的は、ユニット式建物に使用することにより、小屋裏居室の内部空間を拡大できるとともに、建物の屋根の形状を変化に富んだものとすることができ、かつ、小屋裏居室内の通風、採光を充分に得られるようになる２方向傾斜ユニットを提供することにある。
【０００６】
また、本発明の他の目的は、小屋裏居室の内部空間を拡大できるとともに、屋根の形状を変化に富んだものとすることができ、かつ、小屋裏居室内の通風、採光を充分に得られるようになるバルコニを有するユニット式建物を提供することにある。
【０００７】
【課題を解決するための手段】
本発明は小屋裏居室用ユニットの構造であって、上方の天井梁で形成される天井用長方形枠が下方の床梁で形成される床用長方形枠よりも小さく形成されるとともに、これらの天井用長方形枠および床用長方形枠の３つの角部同士は垂直方向に延びる１本の柱と２本の傾斜した梁とで連結され、前記天井用長方形枠の角部のうち、前記１本の柱の対角線位置の角部には、該角部から前記床用長方形枠の床部に向けて垂直な１本の補強柱が立設され、平面視で前記床用長方形枠の前記天井用長方形枠からはみ出した部位には床面材が設けられてＬ字形バルコニが形成されていることを特徴とする２方向傾斜の小屋裏居室用ユニットである。
【０００８】
以上において、天井用四角枠および床用四角枠は正方形であると長方形であるとを問わない。この場合、両四角枠を例えば両方とも長方形の同一形状としてもよく、あるいは異なる形状としてもよい。また、両四角枠の大きさは任意であるが、床用四角枠の大きさはユニット式建物を構成する直方体状の建物ユニットの平面大きさと等しいことが好ましい。
【０００９】
このような本発明では、２方向傾斜ユニットは天井用四角枠を有しているのでこの２方向傾斜ユニットをユニット式建物に使用すれば、天井用四角枠の分だけ小屋裏居室用ユニットに続く高さの室内を確保でき、これにより、小屋裏居室の内部空間を拡大できる。また、２方向傾斜ユニットはその２側面が傾斜しているので、それぞれの側面に屋根パネル等を取り付けることにより、寄せ棟風の屋根を形成することができ、屋根の形状を変化に富んだものとすることができる。さらに、２方向傾斜ユニットの天井用四角枠から垂直に壁体を設けるとともに、この壁体に窓等を取り付けることができ、この場合、小屋裏居室内の通風、採光を充分に得られるようになる。
【００１０】
本発明の請求項２に係る２方向傾斜ユニットは、図１に示すように、請求項１に記載の２方向傾斜ユニットにおいて、天井用四角枠２６および床用四角枠２９を平面長方形とし、床用四角枠２９をユニット式建物を構成する直方体状の建物ユニット２、３の平面大きさと等しくしたことを特徴とするものである。
このような本発明では、２方向傾斜ユニットの床用四角枠を直方体状の建物ユニットの上に載せて接合すればよいので、作業が容易となり、ユニット式建物の工期の短縮につなげることができる。
【００１１】
本発明の請求項３に係る２方向傾斜ユニットは、図２に示すように、請求項１または２に記載の２方向傾斜ユニットにおいて、天井用四角枠２６および床用四角枠２９の角部のうち柱３５の対角線位置の角部に、床用四角枠２９に向けて垂直な補強柱３６を立設したことを特徴とするものである。
このような本発明では、天井用四角枠の１つの角部の柱の対角線位置に補強柱を立設したので、天井用四角枠を安定して支持できるとともに、補強柱に支持させて窓を取り付けるための壁体を容易に取り付けることができる。
【００１２】
本発明の請求項４に係る２方向傾斜ユニットは、図５に示すように、請求項１または２に記載の２方向傾斜ユニットにおいて、天井用四角枠２６および床用四角枠２９の角部のうち柱の対角線位置の角部と床用四角枠２９との間に、柱３５から天井用四角枠２６および床用四角枠２９の短辺方向に延びた角部に設けられた傾斜した梁３７Ａと平行かつ同一傾斜の補強傾斜梁３７Ｃが架けわたされていることを特徴とするものである。
このような本発明では、２方向傾斜ユニットに、１本の傾斜した梁と平行かつ同一傾斜の補強傾斜梁が設けられているので、この傾斜した梁および補強傾斜梁とで支持させて屋根パネルを取り付けることができ、これにより、安定した屋根パネルの取り付けが可能となる。
【００１３】
本発明の請求項５に係る２方向傾斜ユニットは、図６に示すように、請求項１または２に記載の２方向傾斜ユニットにおいて、天井用四角枠２６および床用四角枠２９の角部のうち柱の対角線位置の角部と床用四角枠２９との間に、柱３５から天井用四角枠２６および床用四角枠２９の長辺方向に延びた角部に設けられた傾斜した梁３７Ｂと平行かつ同一傾斜の補強傾斜梁３７Ｄが架けわたされていることを特徴とするものである。
このような本発明では、２方向傾斜ユニットに、１本の傾斜した梁と平行かつ同一傾斜の補強傾斜梁が設けられているので、この傾斜した梁および補強傾斜梁とで支持させて屋根パネルを取り付けることができ、これにより、安定した屋根パネルの取り付けが可能となる。
【００１４】
本発明の請求項６に係る２方向傾斜ユニットは、図１、５、６に示すように、請求項１〜５のいずれかに記載の２方向傾斜ユニットにおいて、平面視で床用四角枠２９の天井用四角枠２６からはみ出した部位に床面材を設けバルコニＢを形成したことを特徴とするものである。
以上において、バルコニは床用四角枠の長辺側に形成しても、あるいは短辺側に形成してもよく、さらに、両側につまり平面Ｌ字状に形成してもよい。
このような本発明では、天井用四角枠に壁体を設け、この壁体にバルコニに臨む窓等を取り付けることにより、小屋裏居室となる２方向傾斜ユニットの室内の通風、採光を充分に得られるようになる。
【００１５】
本発明の請求項７に係るユニット式建物は、図面を参照して説明すると、図１に示すように、請求項６に記載の２方向傾斜ユニットを使用して建てられるユニット式建物１’であって、予め工場で生産された複数の直方体状の建物ユニット２、３の上に小屋裏建物ユニット１２およびバルコニＢを有する２方向傾斜ユニット２３を載せて構成されていることを特徴とするものである。
【００１６】
以上において、ユニット式建物は、小屋裏を含めて３階建てであることが好ましいが、２階建てであってもよい。
このような本発明では、ユニット式建物の小屋裏がバルコニを有する２方向傾斜ユニットと小屋裏建物ユニットとで構成され、２方向傾斜ユニットにはバルコニに臨む窓等の開口が設けられるので、小屋裏居室の内部空間を拡大できるとともに、屋根の形状を変化に富んだものとすることができ、かつ、小屋裏居室内の通風、採光を充分に得られるようになる。
【００１７】
【発明の実施の形態】
以下に、図１〜４に基づいて本発明の第１実施形態を説明する。
なお、この実施形態において、前記従来例と同様の構造、同一部材には、同一符号を付すとともにその詳細な説明は省略または簡略化する。
図１に示すように、ユニット式建物１’の前記上階建物ユニット３の上には、前記小屋裏居室用ユニット１２およびこのユニット１２に隣接して２方向傾斜ユニット２３等を組み合わせることにより建てられ、２方向傾斜ユニット２３等には屋根パネル２２Ａ、２２Ｂが取り付けられて寄棟タイプの屋根４’が形成されている。
【００１８】
ユニット式建物１’の平面視四隅部に配置された２方向傾斜ユニット２３のうちの１つの２方向傾斜ユニット２３Ａは、バルコニＢが形成されたユニットであり、従って、このユニット式建物１’は、小屋裏にバルコニＢを有する建物となっている。
【００１９】
図２に示すように、第１実施形態の２方向傾斜ユニット２３は、上方に対向配置される第１、２長辺天井梁２４Ａ、２４Ｂでなる長辺天井梁２４、およびこの長辺天井梁２４の両端同士を連結する第１、２短辺天井梁２５Ａ、２５Ｂでなる短辺天井梁２５で形成される天井用四角枠２６を備えている。
この天井用四角枠２６の下方には、対向配置される第１、２長辺床梁２７Ａ、２７Ｂでなる長辺床梁２７、およびこの長辺床梁２４の両端同士を連結する第１、２短辺天井梁２８Ａ、２８Ｂでなる短辺床梁２８で形成される床用四角枠２９が配置され、この床用四角枠２９の大きさは天井用四角枠２６の大きさよりも大きく、かつ、上階建物ユニット３等の平面大きさとほぼ等しい大きさに形成されている。
【００２０】
すなわち、長辺天井梁２４より長辺床梁２７の長さ寸法が長く、短辺天井梁２５より短辺床梁２８の長さ寸法が長く形成されている。そして、第１長辺天井梁２４Ａおよび第１短辺天井梁２５Ａと、第１長辺床梁２７Ａおよび第１短辺床梁２８Ａとはそれぞれ同一垂直面に位置している。
【００２１】
このような天井用四角枠２６と床用四角枠２９とは、その角部同士が垂直な柱３５と第１、２の傾斜梁３７Ａ、３７Ｂでなる傾斜梁３７で連結されている。
すなわち、第１長辺天井梁２４Ａおよび第１短辺天井梁２５Ａの連結角部と、第１長辺床梁２７Ａおよび第１短辺床梁２８Ａの連結角部とは垂直な柱３５で連結されている。また、第２長辺床梁２７Ｂおよび第２短辺床梁２８Ｂの連結角部には床用四角枠２９に向けて垂直な補強柱３６が立設されている。さらに、第２長辺天井梁２４Ｂおよび第１短辺天井梁２５Ａの連結角部と、第２長辺床梁２７Ｂおよび第１短辺床梁２８Ａの連結角部とは第１の傾斜梁３７Ａで連結され、第１長辺天井梁２４Ａおよび第２短辺天井梁２５Ｂの連結角部と、第１長辺床梁２７Ａおよび第２短辺床梁２８Ｂの連結角部とは第２の傾斜梁３７Ｂで連結されている。
【００２２】
第１の傾斜梁３７Ａに支持されて桁側の屋根パネル２２Ａが設けられ、第２の傾斜梁３７Ｂに支持されて妻側の屋根パネル２２Ｂが設けられ、これにより、図１に示すように寄棟タイプの屋根４’が構成されるようになっている。
また、平面視で天井用四角枠２６からはみ出した床用四角枠２９の部位を建物のバルコニＢとすることができる。この場合、屋根パネル２２Ａ、２２ＢはバルコニＢ側に所定寸法だけ延ばし、腰壁の代わりとしてもよい。
ここで、天井用四角枠２６の第２長辺天井梁２４Ｂおよび第２短辺天井梁２５Ｂには、床用四角枠２９に向けて垂直な外壁３１が設けられるとともに、この外壁３１には窓３２（図１参照）等の開口が設けられている。
【００２３】
このようなユニット式建物１’において、妻側の小屋裏建物ユニット１２Ａは、図３に示すように、前記小屋裏建物ユニット１２の短辺部に傾斜面を形成したと同様の形状となっている。
すなわち、小屋裏建物ユニット１２Ａは、上下に対向配置される天井用四角枠４６および床用四角枠４９を備え、両四角枠４６、４９は、長辺寸法のみが異なるものとなっている。また、両四角枠４６、４９の２つの角部には当該四角枠４６、４９を連結する柱４５が立設され、残りの２つの角部間には傾斜梁４８が架けわたされている。そして、この傾斜梁４８の傾斜は前記２方向傾斜ユニット２３の第２階斜梁３７Ｂの傾斜と同一となっている。
【００２４】
また、２方向傾斜ユニット２３Ａと隣接する屋根ユニット４３は、図４に示すように、長辺部に傾斜面が形成されているもので、２方向傾斜ユニット２３Ａにおいて天井用四角枠２６と床用四角枠２９との長さ寸法を同じとした形状である。この屋根ユニット４３の天井用四角枠５６と床用四角枠５９とは、長辺方向の２つの角部同士が垂直な柱５５で連結され、残りの２つの角部間には傾斜梁５８が架けわたされている。そして、この傾斜梁５８の傾斜は前記２方向傾斜ユニット２３の第１階斜梁３７Ａの傾斜と同一となっている。
【００２５】
このような本実施形態によれば、次のような効果がある。
▲１▼２方向傾斜ユニット２３は天井用四角枠２６を有しているので、この２方向傾斜ユニット２３をユニット式建物１’に使用すれば、天井用四角枠２６の分だけ小屋裏居室用ユニット１２に続く高さの室内を確保でき、これにより、小屋裏居室の内部空間を拡大できる。
▲２▼２方向傾斜ユニット２３はその２側面が傾斜しているので、それぞれの側面に屋根パネル２２Ａ、２２Ｂを取り付けることにより、寄せ棟タイプの屋根４’を形成することができ、建物の屋根４’の形状を変化に富んだものとすることができる。
【００２６】
▲３▼２方向傾斜ユニット２３の天井用四角枠２６と床用四角枠２９とは、長さおよび幅寸法がことなり、その差の分だけバルコニＢとすることができるので、天井用四角枠２６に外壁３１等の壁体を設け、この壁体に窓を取り付けることにより、バルコニＢに臨む開口とすることができる。従って、小屋裏居室の採光、通風を充分に得ることができる。
▲４▼２方向傾斜ユニット２３の天井用四角枠２６の柱３５の対角線位置に補強柱３６を立設したので、天井用四角枠２６を安定して支持できるとともに、補強柱３６に支持させて窓を取り付けるための外壁３１を容易に取り付けることができる。
【００２７】
▲５▼ユニット式建物１’は、小屋裏用のバルコニＢを備えているので、変化に富んだ外形の建物となる。
▲６▼２方向傾斜ユニット２３の床用四角枠２９と直方体状の建物ユニット３との平面大きさはほぼ等しいので、２方向傾斜ユニット２３を建物ユニット３上に載せて接合すれば組み合わせることができ、これにより、作業が容易となり、ユニット式建物の工期の短縮につなげることができる。
【００２８】
図５には本発明の第２の実施形態の２方向傾斜ユニット５３が示されており、本実施形態では、前記第１実施形態の２方向傾斜ユニット２３が、天井用四角枠２６と床用四角枠２９とを２本の柱３５、３６と２本の傾斜梁３７Ａ、３７Ｂとで連結したものを、補強柱３６に代えて第１傾斜梁３７Ａと平行かつ同一傾斜の補強傾斜梁３７Ｃで連結したものである。
【００２９】
本実施形態の２方向傾斜ユニット５３では、天井用四角枠２６の第２の短辺天井梁２５Ｂから垂直に外壁３１を設けるとともに、この外壁３１に窓を取り付け、床用四角枠２９において外壁３１の前方に床面材等を設け、天井用四角枠２６と床用四角枠２９との長さの差の分のバルコニＢが形成されている。なお、この実施形態において前記第１実施形態と同一構造および同一部材には、同一符号を付すとともに、その詳細な説明は省略または簡略化し、異なる部分のみを説明してある。
そして、このような本実施形態においても前記第１実施形態の▲１▼〜▲６▼と同様の作用、効果を得ることができる。
【００３０】
図６には本発明の第３の実施形態の２方向傾斜ユニット６３が示されており、本実施形態では、前記第２実施形態の２方向傾斜ユニット５３の補強傾斜梁３７Ｃに代えて、第２傾斜梁３７Ｂと平行かつ同一傾斜の補強傾斜梁３７Ｄを設けたものである。
この２方向傾斜ユニット６３では、天井用四角枠２６の第２の長辺天井梁２４Ｂから垂直に外壁３１を設けるとともに、この外壁３１に窓を取り付け、床用四角枠２９において外壁３１の前方に床面材等を設け、天井用四角枠２６と床用四角枠２９との幅の差の分のバルコニＢが形成されている。
そして、このような本実施形態においても前記第１実施形態の▲１▼〜▲６▼と同様の作用、効果を得ることができる。
【００３１】
なお、本発明は、前記各実施形態に限定されるものではなく、本発明の目的を達成できるものであれば、次に示すような変形形態でもよいものである。
すなわち、前記第１実施形態の２方向傾斜ユニット２３では、天井用四角枠２６と床用四角枠２９との連結を垂直な１本の柱３５と補強柱３６、第１、２の傾斜梁３７Ａ、３７Ｂとで行っているが、これに限らず、例えば図７に示すように、補強柱３６のない２方向傾斜ユニット７３としてもよい。このような２方向傾斜ユニット７３では、第２の長辺天井梁２４Ｂおよび第２の短辺天井梁２５Ｂに垂直な外壁３１を設けて全体の強度を確保し、このような外壁３１に窓を設ければよい。
そして、このような実施形態においても前記第１実施形態の▲１▼〜▲６▼と同様の効果を得ることができる。
【００３２】
また、前記第１実施形態では、天井用四角枠２６と床用四角枠２９との連結を垂直な１本の柱３５と補強柱３６、第１、２の傾斜梁３７Ａ、３７Ｂとで行い、第２実施形態では補強柱３６に代わる補強傾斜梁３７Ｃを、第３実施形態では補強柱３６に代わる補強傾斜梁３７Ｄを設けて行っていたが、これに限らず、補強柱３６に代えて、天井用四角枠２６と床用四角枠２９との角部同士間に、補強傾斜梁３７Ｃ、３７Ｄと傾斜の異なる第３の傾斜梁を架けわたしてもよい。
そして、このような実施形態でも前記第１実施形態の▲１▼〜▲６▼と同様の効果を得ることができる。
【００３３】
さらに、天井用四角枠２６と床用四角枠２９との連結を、それぞれの四角枠２６、２９の第１長辺天井梁２４Ａおよび第１長辺床梁２７Ａ同士間に、天井用四角枠２６の第１長辺天井梁２４Ａの両端隅部に立設される２本の柱と、第２長辺天井梁２４Ｂの両端隅部と第２長辺床梁２７Ｂの一端および途中との間に架けわたされる２本の傾斜梁とで連結するようにしてもよい。
あるいは、上記とは逆に、つまり、それぞれの四角枠２６、２９の第１短辺天井梁２５Ａおよび第１短辺床梁２８Ａ同士間に２本の柱を架けわたすとともに、第２の短辺天井梁２５Ａの両端隅部と第２短辺床梁２８Ｂの一端および途中との間に２本の斜梁を架けわたしてもよい。そして、このような実施形態でも前記第１実施形態の▲１▼〜▲６▼と同様の効果を得ることができる。
【００３４】
また、前記第１実施形態では、ユニット式建物１’の平面四隅に配置された２方向傾斜ユニット２３のうち１つの２方向傾斜ユニット２３ＡにバルコニＢを設けたが、これに限らず、その他の１つに設けてもあるいは四隅の２方向傾斜ユニット２３すべてにバルコニＢを設けてもよい。また、２方向傾斜ユニット２３Ａに隣接する屋根ユニット４３にもユニット２３ＡのバルコニＢに続くバルコニを形成してもよい。
【００３５】
【発明の効果】
以上に説明したように、本発明の２方向傾斜ユニットによれば、天井用四角枠を有しているのでこの２方向傾斜ユニットをユニット式建物に使用すれば、天井用四角枠の分だけ小屋裏居室用ユニットに続く高さの室内を確保でき、これにより、小屋裏居室の内部空間を拡大できる。また、２方向傾斜ユニットはその２側面が傾斜しているので、それぞれの側面に屋根パネル等を取り付けることにより、寄せ棟風の屋根を形成することができ、屋根の形状を変化に富んだものとすることができる。さらに、２方向傾斜ユニットの天井用四角枠から垂直に壁体を設けるとともに、この壁体に窓等を取り付けることができ、この場合、小屋裏居室内の通風、採光を充分に得られるようになる。
【００３６】
また、本発明のユニット式建物では、ユニット式建物の小屋裏がバルコニを有する２方向傾斜ユニットと小屋裏建物ユニットとで構成され、２方向傾斜ユニットにはバルコニに臨む窓等の開口が設けられるので、小屋裏居室の内部空間を拡大できるとともに、屋根の形状を変化に富んだものとすることができ、かつ、小屋裏居室内の通風、採光を充分に得られるようになる。
【図面の簡単な説明】
【図１】本発明の一実施形態に係るユニット式建物を示す全体斜視図である。
【図２】本発明の第１実施形態の２方向傾斜ユニットを示す全体斜視図である。
【図３】本発明の実施形態に係るユニット式建物を構成する妻側の小屋裏居室用ユニットを示す全体斜視図である。
【図４】本発明の実施形態に係るユニット式建物を構成する桁側の小屋裏居室用ユニットを示す全体斜視図である。
【図５】本発明の第２実施形態の２方向傾斜ユニットを示す全体斜視図である。
【図６】本発明の第３実施形態の２方向傾斜ユニットを示す全体斜視図である。
【図７】本発明の変形形態の２方向傾斜ユニットを示す全体斜視図である。
【図８】本発明の従来のユニット式建物を示す全体図である。
【図９】本発明のユニット式建物を構成する建物ユニットを示す全体斜視図である。
【符号の説明】
１’  ユニット式建物
２  下階建物ユニット
３  上階建物ユニット
４’  屋根
１２  小屋裏居室ユニット
２３  ２方向傾斜ユニット
２６  天井用四角枠
２９  床用四角枠
３５  柱
３６  補強梁
３７  傾斜梁
５３、６３  ２方向傾斜ユニット
Ｂ  バルコニ
【図１】
0004226091.tif 000002
【図２】
0004226091.tif 000003
【図３】
0004226091.tif 000004
【図４】
0004226091.tif 000005
【図５】
0004226091.tif 000006
【図６】
0004226091.tif 000007
【図７】
0004226091.tif 000008
【図８】
0004226091.tif 000009
【図９】
0004226091.tif 000010